(57)【要約】【課題】利用者と店員との間において決済の都度ポイントを利用するかどうかを確認する煩わしさをなくし、かつ、利用者や店員の不注意によって利用者がポイントの利用機会を逸することを防止すること。【解決手段】決済処理に際して、あらかじめ利用者によって設定したポイントの利用条件に基づいて、既に発行されているポイントを充当するか否かを判断し、充当しない場合は決済要求に含まれる利用金額を代価に決定し、充当する場合は、該当するポイントの利用条件に基づいて、ポイントを充当したときの金額を代価に決定し、決定した代価を店舗の端末装置に対して出力するようにした。【選択図】図５
2013235399.tif 000002
【特許請求の範囲】
【請求項１】
店舗の端末装置から、商品またはサービスの利用金額および利用者の識別情報を含む決済要求を受け付ける受付手段と、
前記利用者の識別情報ごとに当該利用者に提供した商品またはサービスの代価に応じて発行されたポイントと当該ポイントの利用条件とを関連付けて記憶するポイント条件データベースから、前記受付手段が受け付けた決済要求に含まれる利用者の識別情報に関連付けられたポイントの利用条件を取得する利用条件取得手段と、
前記利用条件取得手段が取得したポイントの利用条件に基づいて、前記受付手段が受け付けた決済要求に応じた決済処理に、前記ポイント条件データベースが記憶するポイントを充当するか否かを判断する判断手段と、
前記判断手段が充当しないと判断した場合は前記受付手段が受け付けた決済要求に含まれる利用金額を代価に決定し、前記判断手段が充当すると判断した場合は前記利用条件取得手段が取得したポイントの利用条件に基づいて前記ポイント条件データベースが記憶するポイントを前記利用金額に充当したときの金額を代価に決定する代価決定手段と、
前記代価決定手段が決定した代価を前記店舗の端末装置に対して出力する出力手段と、
前記出力手段が出力した代価に基づいて、前記店舗の端末装置がおこなった決済処理にかかる決済金額を含む決済完了通知を受け付ける完了通知受付手段と、
前記完了通知受付手段が受け付けた決済完了通知に基づいて、当該決済完了通知に含まれる決済金額に応じたポイントを算出するポイント算出手段と、
前記ポイント条件データベースが記憶するポイントのうち前記受付手段が受け付けた識別情報に関連付けられたポイントに、前記ポイント算出手段が算出したポイントを加算することにより前記ポイント条件データベースを更新する更新手段と、
を備えたことを特徴とするポイント処理システム。
【請求項２】
前記ポイント条件データベースは、前記識別情報ごとに、当該ポイント条件データベースが記憶するポイントの失効期日に関する情報を記憶し、
前記判断手段は、前記受付手段が前記決済要求を受け付けた時点から所定期間内に前記失効期日が到来する場合に、前記ポイントを充当すると判断することを特徴とする請求項１に記載のポイント処理システム。
【請求項３】
前記判断手段が、前記失効期日に基づいて前記ポイントを充当すると判断した場合に、前記店舗の端末装置に対して、前記ポイントを前記利用金額に充当した金額を代価とする決済処理をおこなうか否かの確認要求を出力する確認要求出力手段と、
前記店舗の端末装置から、前記確認要求出力手段が出力した確認要求に対して前記決済処理の承認または非承認を通知する応答情報を受け付ける応答受付手段と、
を備え、
前記代価決定手段は、前記応答受付手段が受け付けた応答情報に基づいて前記代価を決定することを特徴とする請求項２に記載のポイント処理システム。
【請求項４】
前記ポイント条件データベースは、前記ポイントを充当する判断にかかる下限値を規定する下限ポイント数を前記利用条件として記憶し、
前記判断手段は、前記ポイント条件データベースが記憶するポイントの数が、前記下限ポイント数以上である場合に、当該ポイントを充当すると判断することを特徴とする請求項１または２に記載のポイント処理システム。
【請求項５】
前記ポイント条件データベースは、前記ポイントを利用する単位を規定する単位ポイント数を前記利用条件として記憶し、
前記判断手段は、前記ポイント条件データベースが記憶するポイントの数が、前記単位ポイント数以上である場合に、当該ポイントを充当すると判断し、
前記代価決定手段は、前記単位ポイント数の整数倍のポイントを前記利用金額に充当したときの金額を代価に決定することを特徴とする請求項１または２に記載のポイント処理システム。
【請求項６】
前記受付手段が決済要求を受け付けた場合、前記単位ポイント数の整数倍となる数と前記店舗の端末装置における決済処理後のポイントとの差分が、所定値以下であるか否かを判断する残りポイント数判断手段と、
前記残りポイント数判断手段が前記差分が所定値以下であると判断した場合、当該差分以上のポイントが発行される金額、および、当該金額の商品あるいはサービス、の少なくとも一方を報知する報知手段と、
を備えたことを特徴とする請求項５に記載のポイント処理システム。
【請求項７】
店舗の端末装置から、商品またはサービスの利用金額および利用者の識別情報を含む決済要求を受け付ける受付工程と、
前記利用者の識別情報ごとに当該利用者に提供した商品またはサービスの代価に応じて発行されたポイントと当該ポイントの利用条件とを関連付けて記憶するポイント条件データベースから、前記受付工程により受け付けた決済要求に含まれる利用者の識別情報に関連付けられたポイントの利用条件を取得する利用条件取得工程と、
前記利用条件取得工程により取得したポイントの利用条件に基づいて、前記受付工程により受け付けた決済要求に応じた決済処理に、前記ポイント条件データベースが記憶するポイントを充当するか否かを判断する判断工程と、
前記判断工程により充当しないと判断した場合は前記受付工程により受け付けた決済要求に含まれる利用金額を代価に決定し、前記判断工程により充当すると判断した場合は前記利用条件取得工程により取得したポイントの利用条件に基づいて前記ポイント条件データベースが記憶するポイントを前記利用金額に充当したときの金額を代価に決定する代価決定工程と、
前記代価決定工程により決定した代価を前記店舗の端末装置に対して出力する出力工程と、
前記出力工程により出力した代価に基づいて、前記店舗の端末装置がおこなった決済処理にかかる決済金額を含む決済完了通知を受け付ける完了通知受付工程と、
前記完了通知受付工程により受け付けた決済完了通知に基づいて、当該決済完了通知に含まれる決済金額に応じたポイントを算出するポイント算出工程と、
前記ポイント条件データベースが記憶するポイントのうち前記受付工程により受け付けた識別情報に関連付けられたポイントに、前記ポイント算出工程により算出したポイントを加算することにより前記ポイント条件データベースを更新する更新工程と、
を含んだことを特徴とするポイント処理方法。
【請求項８】
コンピュータに、
店舗の端末装置から、商品またはサービスの利用金額および利用者の識別情報を含む決済要求を受け付ける受付工程と、
前記利用者の識別情報ごとに当該利用者に提供した商品またはサービスの代価に応じて発行されたポイントと当該ポイントの利用条件とを関連付けて記憶するポイント条件データベースから、前記受付工程により受け付けた決済要求に含まれる利用者の識別情報に関連付けられたポイントの利用条件を取得する利用条件取得工程と、
前記利用条件取得工程により取得したポイントの利用条件に基づいて、前記受付工程により受け付けた決済要求に応じた決済処理に、前記ポイント条件データベースが記憶するポイントを充当するか否かを判断する判断工程と、
前記判断工程により充当しないと判断した場合は前記受付工程により受け付けた決済要求に含まれる利用金額を代価に決定し、前記判断工程により充当すると判断した場合は前記利用条件取得工程により取得したポイントの利用条件に基づいて前記ポイント条件データベースが記憶するポイントを前記利用金額に充当したときの金額を代価に決定する代価決定工程と、
前記代価決定工程により決定した代価を前記店舗の端末装置に対して出力する出力工程と、
前記出力工程により出力した代価に基づいて、前記店舗の端末装置がおこなった決済処理にかかる決済金額を含む決済完了通知を受け付ける完了通知受付工程と、
前記完了通知受付工程により受け付けた決済完了通知に基づいて、当該決済完了通知に含まれる決済金額に応じたポイントを算出するポイント算出工程と、
前記ポイント条件データベースが記憶するポイントのうち前記受付工程により受け付けた識別情報に関連付けられたポイントに、前記ポイント算出工程により算出したポイントを加算することにより前記ポイント条件データベースを更新する更新工程と、
を実行させることを特徴とするポイント処理プログラム。
【発明の詳細な説明】
【技術分野】
【０００１】
この発明は、決済に充当可能なポイントを発行するポイント処理システム、ポイント処理方法およびポイント処理プログラムに関する。
【背景技術】
【０００２】
従来、店舗などが提供する商品やサービスの購入金額あるいは来店回数などに応じて、次回以降の商品やサービスの決済時に、当該決済に充当可能なポイントを発行するポイントサービスがあった。このようなポイントサービスを導入した店舗であって、対面方式により決済をおこなう店舗においては、決済に際して、たとえば、利用者（顧客）が店員に対して、ポイントが記憶されているポイントカードなどを提示し、既に発行されているポイントを利用するか否かを伝えていた。
【０００３】
また、このようなポイントサービスを導入した店舗であって、対面方式により決済をおこなう店舗においては、決済に際して、たとえば、店員がポイントが記憶されているポイントカードなどを提示した利用者（顧客）に対して、既に発行されているポイントを利用するか否かを確認していた。
【０００４】
具体的には、従来、たとえば、利用者に対して発行されたポイントに応じたバリューをクレジットカード識別情報に対応付けて記憶し、クレジットカードを用いた決済に際して、当該決済にかかる決済金額から、該当するクレジットカードの識別情報に対応付けられて記憶されたバリューを差し引いた金額により決済することにより、発行されたポイントの有効利用を実現するようにした技術があった（たとえば、下記特許文献１を参照。）。
【先行技術文献】
【特許文献】
【０００５】
【特許文献１】特開２０１０−２８２４３９号公報
【発明の概要】
【発明が解決しようとする課題】
【０００６】
しかしながら、上述した従来の技術は、対面方式により決済をおこなう店舗における決済に際して提示されたポイントカードなどにポイントが記憶されている場合、決済の都度、利用者と店員との間において、ポイントを利用するかどうかを確認しなければならず、煩わしいという問題があった。利用者によっては、「恥ずかしい」、「面倒臭い」などの理由から、決済に際してポイントの利用方法を告知することを嫌厭する傾向にあり、このような利用者がポイントを有効に利用できない場合があるという問題があった。
【０００７】
また、上述した従来の技術は、決済に際して、利用者と店員との間においてポイントを利用するかどうかの確認を失念してしまった場合や、利用者がポイントの失効期日を失念していた場合、利用者はポイントの利用機会を逸してしまうという問題があった。失効期日に起因するポイントの利用機会の逸失を回避するためには、利用者がポイントの失効期日を把握していなくてはならず、利用者の負担が大きいという問題があった。
【０００８】
また、上述した従来の技術は、失効期日に起因するポイントの利用機会の逸失を回避するために、決済の都度、こまめにポイントを利用した場合、利用者は、決済にポイントを充当することによる有用性を十分に実感できないことがあるという問題があった。
【０００９】
この発明は、上述した従来技術による問題点を解消するため、利用者と店員との間において決済の都度ポイントを利用するかどうかを確認する煩わしさをなくし、かつ、利用者や店員の不注意によって利用者がポイントの利用機会を逸することを防止することができるポイント処理システム、ポイント処理方法およびポイント処理プログラムを提供することを目的とする。
【００１０】
また、この発明は、上述した従来技術による問題点を解消するため、特に、対面方式により決済をおこなう店舗における決済に際して、利用者と店員との間において決済の都度ポイントを利用するかどうかを確認する煩わしさをなくし、かつ、利用者や店員の不注意によって利用者がポイントの利用機会を逸することを防止することができるポイント処理システム、ポイント処理方法およびポイント処理プログラムを提供することを目的とする。
【課題を解決するための手段】
【００１１】
上述した課題を解決し、目的を達成するため、この発明にかかるポイント処理システムは、店舗の端末装置から、商品またはサービスの利用金額および利用者の識別情報を含む決済要求を受け付ける受付手段と、前記利用者の識別情報ごとに当該利用者に提供した商品またはサービスの代価に応じて発行されたポイントと当該ポイントの利用条件とを関連付けて記憶するポイント条件データベースから、前記受付手段が受け付けた決済要求に含まれる利用者の識別情報に関連付けられたポイントの利用条件を取得する利用条件取得手段と、前記利用条件取得手段が取得したポイントの利用条件に基づいて、前記受付手段が受け付けた決済要求に応じた決済処理に、前記ポイント条件データベースが記憶するポイントを充当するか否かを判断する判断手段と、前記判断手段が充当しないと判断した場合は前記受付手段が受け付けた決済要求に含まれる利用金額を代価に決定し、前記判断手段が充当すると判断した場合は前記利用条件取得手段が取得したポイントの利用条件に基づいて前記ポイント条件データベースが記憶するポイントを前記利用金額に充当したときの金額を代価に決定する代価決定手段と、前記代価決定手段が決定した代価を前記店舗の端末装置に対して出力する出力手段と、前記出力手段が出力した代価に基づいて、前記店舗の端末装置がおこなった決済処理にかかる決済金額を含む決済完了通知を受け付ける完了通知受付手段と、前記完了通知受付手段が受け付けた決済完了通知に基づいて、当該決済完了通知に含まれる決済金額に応じたポイントを算出するポイント算出手段と、前記ポイント条件データベースが記憶するポイントのうち前記受付手段が受け付けた識別情報に関連付けられたポイントに、前記ポイント算出手段が算出したポイントを加算することにより前記ポイント条件データベースを更新する更新手段と、を備えたことを特徴とする。
【００１２】
また、この発明にかかるポイント処理システムは、上記の発明において、前記ポイント条件データベースが、前記識別情報ごとに、当該ポイント条件データベースが記憶するポイントの失効期日に関する情報を記憶し、前記判断手段が、前記受付手段が前記決済要求を受け付けた時点から所定期間内に前記失効期日が到来する場合に、前記ポイントを充当すると判断することを特徴とする。
【００１３】
また、この発明にかかるポイント処理システムは、上記の発明において、前記判断手段が、前記失効期日に基づいて前記ポイントを充当すると判断した場合に、前記店舗の端末装置に対して、前記ポイントを前記利用金額に充当した金額を代価とする決済処理をおこなうか否かの確認要求を出力する確認要求出力手段と、前記店舗の端末装置から、前記確認要求出力手段が出力した確認要求に対して前記決済処理の承認または非承認を通知する応答情報を受け付ける応答受付手段と、を備え、前記代価決定手段が、前記応答受付手段が受け付けた応答情報に基づいて前記代価を決定することを特徴とする。
【００１４】
また、この発明にかかるポイント処理システムは、上記の発明において、前記ポイント条件データベースが、前記ポイントを充当する判断にかかる下限値を規定する下限ポイント数を前記利用条件として記憶し、前記判断手段が、前記ポイント条件データベースが記憶するポイントの数が、前記下限ポイント数以上である場合に、当該ポイントを充当すると判断することを特徴とする。
【００１５】
また、この発明にかかるポイント処理システムは、上記の発明において、前記ポイント条件データベースが、前記ポイントを利用する単位を規定する単位ポイント数を前記利用条件として記憶し、前記判断手段が、前記ポイント条件データベースが記憶するポイントの数が、前記単位ポイント数以上である場合に、当該ポイントを充当すると判断し、前記代価決定手段が、前記単位ポイント数の整数倍のポイントを前記利用金額に充当したときの金額を代価に決定することを特徴とする。
【００１６】
また、この発明にかかるポイント処理システムは、上記の発明において、前記受付手段が決済要求を受け付けた場合、前記単位ポイント数の整数倍となる数と前記店舗の端末装置における決済処理後のポイントとの差分が、所定値以下であるか否かを判断する残りポイント数判断手段と、前記残りポイント数判断手段が前記差分が所定値以下であると判断した場合、当該差分以上のポイントが発行される金額、および、当該金額の商品あるいはサービス、の少なくとも一方を報知する報知手段と、を備えたことを特徴とする。
【００１７】
また、この発明にかかるポイント処理方法は、店舗の端末装置から、商品またはサービスの利用金額および利用者の識別情報を含む決済要求を受け付ける受付工程と、前記利用者の識別情報ごとに当該利用者に提供した商品またはサービスの代価に応じて発行されたポイントと当該ポイントの利用条件とを関連付けて記憶するポイント条件データベースから、前記受付工程により受け付けた決済要求に含まれる利用者の識別情報に関連付けられたポイントの利用条件を取得する利用条件取得工程と、前記利用条件取得工程により取得したポイントの利用条件に基づいて、前記受付工程により受け付けた決済要求に応じた決済処理に、前記ポイント条件データベースが記憶するポイントを充当するか否かを判断する判断工程と、前記判断工程により充当しないと判断した場合は前記受付工程により受け付けた決済要求に含まれる利用金額を代価に決定し、前記判断工程により充当すると判断した場合は前記利用条件取得工程により取得したポイントの利用条件に基づいて前記ポイント条件データベースが記憶するポイントを前記利用金額に充当したときの金額を代価に決定する代価決定工程と、前記代価決定工程により決定した代価を前記店舗の端末装置に対して出力する出力工程と、前記出力工程により出力した代価に基づいて、前記店舗の端末装置がおこなった決済処理にかかる決済金額を含む決済完了通知を受け付ける完了通知受付工程と、前記完了通知受付工程により受け付けた決済完了通知に基づいて、当該決済完了通知に含まれる決済金額に応じたポイントを算出するポイント算出工程と、前記ポイント条件データベースが記憶するポイントのうち前記受付工程により受け付けた識別情報に関連付けられたポイントに、前記ポイント算出工程により算出したポイントを加算することにより前記ポイント条件データベースを更新する更新工程と、を含んだことを特徴とする。
【００１８】
また、この発明にかかるポイント処理プログラムは、コンピュータに、店舗の端末装置から、商品またはサービスの利用金額および利用者の識別情報を含む決済要求を受け付ける受付工程と、前記利用者の識別情報ごとに当該利用者に提供した商品またはサービスの代価に応じて発行されたポイントと当該ポイントの利用条件とを関連付けて記憶するポイント条件データベースから、前記受付工程により受け付けた決済要求に含まれる利用者の識別情報に関連付けられたポイントの利用条件を取得する利用条件取得工程と、前記利用条件取得工程により取得したポイントの利用条件に基づいて、前記受付工程により受け付けた決済要求に応じた決済処理に、前記ポイント条件データベースが記憶するポイントを充当するか否かを判断する判断工程と、前記判断工程により充当しないと判断した場合は前記受付工程により受け付けた決済要求に含まれる利用金額を代価に決定し、前記判断工程により充当すると判断した場合は前記利用条件取得工程により取得したポイントの利用条件に基づいて前記ポイント条件データベースが記憶するポイントを前記利用金額に充当したときの金額を代価に決定する代価決定工程と、前記代価決定工程により決定した代価を前記店舗の端末装置に対して出力する出力工程と、前記出力工程により出力した代価に基づいて、前記店舗の端末装置がおこなった決済処理にかかる決済金額を含む決済完了通知を受け付ける完了通知受付工程と、前記完了通知受付工程により受け付けた決済完了通知に基づいて、当該決済完了通知に含まれる決済金額に応じたポイントを算出するポイント算出工程と、前記ポイント条件データベースが記憶するポイントのうち前記受付工程により受け付けた識別情報に関連付けられたポイントに、前記ポイント算出工程により算出したポイントを加算することにより前記ポイント条件データベースを更新する更新工程と、を実行させることを特徴とする。
【発明の効果】
【００１９】
この発明にかかるポイント処理システム、ポイント処理方法およびポイント処理プログラムによれば、利用者と店員との間において決済の都度ポイントを利用するかどうかを確認する煩わしさをなくし、かつ、利用者や店員の不注意によって利用者がポイントの利用機会を逸することを防止することができるという効果を奏する。
【００２０】
また、この発明にかかるポイント処理システム、ポイント処理方法およびポイント処理プログラムによれば、特に、利用者と店員との間において決済の都度ポイントを利用するかどうかを確認する煩わしさをなくすことができ、かつ、利用者や店員の不注意によって利用者がポイントの利用機会を逸することを防止することができるという効果を奏する。
【図面の簡単な説明】
【００２１】
【図１】この発明にかかる実施の形態のポイント処理システムのシステム構成を示す説明図である。
【図２】この発明にかかる実施の形態のポイント処理システムを構成するポイント処理装置を実現するコンピュータ装置のハードウエア構成を示すブロック図である。
【図３】この発明にかかる実施の形態のポイント処理システムを構成する店舗の端末装置のハードウエア構成を示すブロック図である。
【図４−１】この発明にかかる実施の形態のポイント処理システムを構成する利用者の端末装置を実現するコンピュータ装置のハードウエア構成を示すブロック図である。
【図４−２】この発明にかかる実施の形態のポイント処理システムを構成する利用者の端末装置を実現する携帯型電話機のハードウエア構成を示すブロック図である。
【図５】この発明にかかる実施の形態のポイント処理システムにおける表示画面例を示す説明図（その１）である。
【図６−１】この発明にかかる実施の形態のポイント処理システムにおける表示画面例を示す説明図（その２）である。
【図６−２】この発明にかかる実施の形態のポイント処理システムにおける表示画面例を示す説明図（その３）である。
【図７】ポイント条件データベースの一例を示す説明図である。
【図８】この発明にかかる実施の形態のポイント処理システムが備えるポイント処理装置の機能的構成を示すブロック図である。
【図９】この発明にかかる実施の形態の店舗の端末装置の処理手順を示すフローチャートである。
【図１０】この発明にかかる実施の形態のポイント処理装置の処理手順を示すフローチャートである。
【図１１】この発明にかかる第１の応用例のポイント処理システムを示す説明図である。
【発明を実施するための形態】
【００２２】
以下に添付図面を参照して、この発明にかかるポイント処理システム、ポイント処理方法およびポイント処理プログラムの好適な実施の形態を詳細に説明する。
【００２３】
（ポイント処理システムのシステム構成）
まず、この発明にかかる実施の形態のポイント処理システムのシステム構成について説明する。図１は、この発明にかかる実施の形態のポイント処理システムのシステム構成を示す説明図である。図１において、この発明にかかる実施の形態のポイント処理システム１００は、ポイント処理装置１１０と、店舗の端末装置１２０と、利用者の端末装置１３０と、を備えている。
【００２４】
ポイント処理装置１１０は、インターネットなどのネットワーク１４０を介して、店舗の端末装置１２０や利用者の端末装置１３０と通信可能に接続されている。この実施の形態において、ポイント処理装置１１０は、決済サーバとしても機能する。ポイント処理装置１１０は、決済サーバとは別体であってもよく、この場合決済サーバと通信可能なコンピュータ装置によって実現することができる。ポイント処理装置１１０は、具体的には、たとえば、サーバコンピュータなどと称されるコンピュータ装置（図２を参照）によって実現することができる。
【００２５】
店舗の端末装置１２０は、インターネットなどのネットワーク１４０を介して、ポイント処理装置１１０と通信可能に接続されている。店舗の端末装置１２０は、具体的には、たとえば、ＰＯＳ端末によって実現することができる（図３を参照）。店舗の端末装置１２０は、たとえば、カード決済機能を備えたＰＯＳ端末によって実現してもよい。
【００２６】
店舗の端末装置１２０は、ＣＡＴ（Ｃｒｅｄｉｔ  Ａｕｔｈｏｒｉｚａｔｉｏｎ  Ｔｅｒｍｉｎａｌ）端末などのカードの信用照会端末や、ＩＮＦＯＸ端末などの多機能決済端末が接続されていてもよい。店舗の端末装置１２０が備える多機能決済端末は、当該店舗の端末装置１２０を実現するＰＯＳ端末に一体に組み込まれていてもよい。
【００２７】
利用者の端末装置１３０は、インターネットなどのネットワーク１４０を介して、ポイント処理装置１１０と通信可能に接続されている。利用者の端末装置１３０は、具体的には、たとえば、パーソナルコンピュータなどと称されるコンピュータ装置（図４−１を参照）や、スマートフォンなどの携帯型電話機（可搬性のコンピュータ装置）によって実現することができる（図４−２を参照）。
【００２８】
（ポイント処理装置１１０を実現するコンピュータ装置のハードウエア構成）
つぎに、この発明にかかる実施の形態のポイント処理システム１００を構成するポイント処理装置１１０を実現するコンピュータ装置のハードウエア構成について説明する。図２は、この発明にかかる実施の形態のポイント処理システム１００を構成するポイント処理装置１１０を実現するコンピュータ装置のハードウエア構成を示すブロック図である。
【００２９】
図２において、コンピュータ装置は、ＣＰＵ２０１と、ＲＯＭ２０２と、ＲＡＭ２０３と、ＨＤＤ（ハードディスクドライブ）２０４と、ＨＤ（ハードディスク）２０５と、ネットワークＩ／Ｆ（インターフェイス）２０６と、を備えている。ポイント処理装置１１０を実現するコンピュータ装置が備える各部２０１〜２０６は、バス２００によってそれぞれ接続されている。
【００３０】
ＣＰＵ２０１は、ポイント処理装置１１０を実現するコンピュータ装置全体の制御をつかさどる。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００３１】
ネットワークＩ／Ｆ２０６は、インターネットなどのネットワーク１４０を介して利用者の端末装置１３０を実現するコンピュータ装置や店舗の端末装置１２０に接続されている。ネットワークＩ／Ｆ２０６は、インターネットなどのネットワークと内部とのインターフェイスをつかさどり、ポイント処理装置１１０を実現するコンピュータ装置におけるデータの入出力を制御する。
【００３２】
（店舗の端末装置１２０のハードウエア構成）
つぎに、この発明にかかる実施の形態のポイント処理システム１００を構成する店舗の端末装置１２０のハードウエア構成について説明する。図３は、この発明にかかる実施の形態のポイント処理システム１００を構成する店舗の端末装置１２０のハードウエア構成を示すブロック図である。
【００３３】
図３において、店舗の端末装置１２０は、ＣＰＵ３０１と、ＲＯＭ３０２と、ＲＡＭ３０３と、ＨＤＤ３０４と、ＨＤ３０５と、ディスプレイ３０６と、タッチパネル３０７と、キーボード３０８と、バーコードスキャナ３０９と、プリンタ３１０と、ドロワ開放装置３１１と、ネットワークＩ／Ｆ３１２と、スピーカー３１３と、カードリーダ３１４と、を備えている。また、店舗の端末装置１２０が備える各部３０１〜３１４は、バス３００によってそれぞれ接続されている。
【００３４】
ＣＰＵ３０１は、店舗の端末装置１２０全体の制御をつかさどる。ＲＯＭ３０２は、カード決済時、商品の売り上げ登録時あるいは売り上げの精算時などに実行させる各種のプログラムなどを記憶している。ＲＡＭ３０３は、ＣＰＵ３０１のワークエリアとして使用される。ＣＰＵ３０１は、たとえばカード決済に際して、ネットワークＩ／Ｆ３１２を介してポイント処理装置１１０との間で通信をおこなう。
【００３５】
店舗の端末装置１２０は、ネットワークＩ／Ｆ３１２を介して、ポイント処理装置１１０との間で直接通信をおこなうことができる。また、店舗の端末装置１２０は、ネットワークＩ／Ｆ３１２を介して店舗ごとあるいはグループごとに設けられたサーバコンピュータに接続し、当該サーバコンピュータを介してポイント処理装置１１０との間で通信をおこなってもよい。
【００３６】
ＨＤＤ３０４は、ＣＰＵ３０１の制御にしたがって、ＨＤ３０５に対するデータのリード／ライトを制御する。ＨＤＤ３０４は、ＨＤ３０５の制御によって書き込まれたデータを記憶する。具体的には、ＨＤ３０５は、たとえば商品マスタファイルや売り上げファイルなどを記憶している。店舗の端末装置１２０における商品マスタファイルや売り上げファイルは、たとえば、上記のサーバコンピュータから取得することができる。商品マスタファイルや売り上げファイルについては公知であるため説明を省略する。
【００３７】
ディスプレイ３０６は、たとえば液晶パネルを備えた表示装置によって実現することができる。ディスプレイ３０６は、カーソル、アイコン、ツールボックスをはじめ、文書、画像、機能情報などのデータに関するウインドウ（ブラウザ）を表示する。この実施の形態の店舗の端末装置１２０は、店員側に情報を表示するディスプレイと、利用者側に情報を表示するディスプレイとのように、１台あたり複数のディスプレイ３０６を備えている。ディスプレイ３０６は、店員側に情報を表示するディスプレイのみであってもよい。
【００３８】
タッチパネル３０７は、ディスプレイ３０６の表示面側に積層され、指やペンなどの筆記部材が接触したことを検出した場合に、タッチパネルに対する筆記部材の接触位置（操作位置）に応じた電気信号を、ＣＰＵ３０１に対して出力する。タッチパネル３０７は、たとえば抵抗膜方式や静電容量方式、音響パルス認識方式、超音波表面弾性波方式、赤外遮光方式、画像認識方式など公知の各種の方式のものを用いることができる。キーボード３０８は、文字、数値、各種指示などの入力のためのキーを備え、操作されたキーに応じた信号をＣＰＵ３０１に対して出力する。
【００３９】
バーコードスキャナ３０９は、商品に付されたバーコードや２次元コードなどを光学的に読み取ることが可能な光学式マーク認識装置（ＯＭＲ：Ｏｐｔｉｃａｌ  Ｍａｒｋ  ＲｅｃｏｇｎｉｔｉｏｎもしくはＯｐｔｉｃａｌ  Ｍａｒｋ  Ｒｅａｄｅｒ）によって実現することができる。バーコードスキャナ３０９は、ＬＥＤなどの光源、光源からの光を走査させるポリゴンミラー、読み取り対象物からの反射光を受光するセンサ、センサが受光した光信号をデコードするデコード回路などを備えている。センサとしてＣＣＤイメージセンサを採用することにより、２次元コードを読み取ることが可能になる。デコード回路がデコードしたデータは、ＣＰＵ３０１に出力される。
【００４０】
プリンタ３１０は、ロール紙に対して決済の内容などを印字する印字処理をおこなう。サーマルプリンタ、レーザプリンタ、インクジェットプリンタなど公知の各種の印字方式のプリンタによって実現することができる。プリンタ３１０は、ロール紙を保持するロール紙保持機構、ロール紙に対して印字をおこなうプリンタヘッド、印字済みのロール紙を任意の長さでカットするカッタ機構などを備えて構成されている。
【００４１】
ドロワ開放装置３１１は、店舗の端末装置１２０に対して所定の操作がおこなわれた場合に、当該店舗の端末装置１２０に接続されたドロワ装置を開放する。ドロワ開放装置３１１は、具体的には、たとえばソレノイドなどによって実現することができ、キーボード３０８における「預／現計」キーの操作に応じてＣＰＵ３０１から出力された開放信号を受信した場合に動作してドロワ装置を解錠する。
【００４２】
スピーカー３１３は、商品をスキャンした場合の『ピッ』という音声やエラーなどの異常発生時の報知音を出力する。スピーカー３１３は、ボイスコイル（図示を省略する）を備えており、ＣＰＵ３０１から出力された音声信号にしたがった電気信号をボイスコイルに印加することによって音声を出力する。
【００４３】
カードリーダ３１４は、ポイントカードなどのカードに記録されたデータを読み出す。また、カードリーダ３１４は、カードを用いた決済において用いられる、クレジットカードなどのカードに記録されたデータを読み出すことが可能なものであってもよい。カードは、ＩＣチップを備えたタイプであってもよいし、磁気ストライプを備えたタイプであってもよい。
【００４４】
（利用者の端末装置１３０を実現するコンピュータ装置のハードウエア構成）
つぎに、この発明にかかる実施の形態のポイント処理システム１００を構成する利用者の端末装置１３０を実現するコンピュータ装置のハードウエア構成について説明する。図４−１は、この発明にかかる実施の形態のポイント処理システム１００を構成する利用者の端末装置１３０を実現するコンピュータ装置のハードウエア構成を示すブロック図である。
【００４５】
図４−１において、利用者の端末装置１３０を実現するコンピュータ装置は、ＣＰＵ４１１と、ＲＯＭ４１２と、ＲＡＭ４１３と、ＨＤＤ４１４と、ＨＤ４１５と、ディスプレイ４１６と、入力デバイス４１７と、ネットワークＩ／Ｆ４１８と、を備えている。利用者の端末装置１３０を実現するコンピュータ装置が備える各部４１１〜４１８は、バス４１０によってそれぞれ接続されている。
【００４６】
ＣＰＵ４１１は、利用者の端末装置１３０を実現するコンピュータ装置全体の制御をつかさどり、ＲＡＭ４１３をワークエリアとしながらＲＯＭ４１２に記憶された各種プログラムを実行する。ＨＤＤ４１４は、ＣＰＵ４１１の制御にしたがってＨＤ４１５に対するデータのリード／ライトを制御する。ＨＤ４１５は、ＨＤＤ４１４の制御で書き込まれたデータを記憶する。
【００４７】
ディスプレイ４１６は、各種の表示画面を表示する。具体的には、ディスプレイ４１６は、たとえば、買い物条件を指定する入力画面や、決済承認要求に対する承認情報を入力する入力画面などを表示する。ディスプレイ４１６は、具体的には、たとえばＴＦＴ液晶ディスプレイ、プラズマディスプレイ、有機ＥＬディスプレイなど、公知の各種のディスプレイによって実現することができる。
【００４８】
入力デバイス４１７は、複数の入力キーを備えたキーボードによって実現することができる。キーボードは、数字を入力するテンキーを備えている。また、キーボードは、入力位置や操作位置を移動させるカーソルキーを備えていてもよい。入力デバイス４１７は、入力位置や操作位置を指定するマウスなどのポインティングデバイスを備えていてもよい。入力デバイス４１７は、当該入力デバイス４１７に対する入力操作に応じた信号を出力する。
【００４９】
ネットワークＩ／Ｆ４１８は、ポイント処理装置１１０を実現するコンピュータ装置との間での通信をおこなう。ネットワークＩ／Ｆ４１８は、ポイント処理装置１１０を実現するコンピュータ装置と利用者の端末装置１３０を実現するコンピュータ装置の内部とのインターフェイスをつかさどり、ポイント処理装置１１０を実現するコンピュータ装置との間におけるデータの入出力を制御する。
【００５０】
利用者の端末装置１３０を実現するコンピュータ装置は、ネットワークＩ／Ｆ４１８を介してポイント処理装置１１０を実現するコンピュータ装置との間で通信をおこなうことによって、たとえば、ディスプレイ４１６に表示した各種の入力画面を介して入力された各種の入力情報をポイント処理装置１１０を実現するコンピュータ装置に送信する。
【００５１】
（利用者の端末装置１３０を実現する携帯型電話機のハードウエア構成）
つぎに、この発明にかかる実施の形態のポイント処理システム１００を構成する利用者の端末装置１３０を実現する携帯型電話機（可搬性のコンピュータ装置）のハードウエア構成について説明する。図４−２は、この発明にかかる実施の形態のポイント処理システム１００を構成する利用者の端末装置１３０を実現する携帯型電話機のハードウエア構成を示すブロック図である。図４−２においては、利用者の端末装置１３０を実現する携帯型電話機として、スマートフォンのハードウエア構成を示している。
【００５２】
図４−２において、この発明にかかる実施の形態のポイント処理システム１００を構成する利用者の端末装置１３０を実現するスマートフォンは、ＣＰＵ４２１と、ＲＯＭ４２２と、ＲＡＭ４２３と、ネットワークＩ／Ｆ４２４と、ディスプレイ４２５と、操作部４２６と、マイク４２７と、スピーカー４２８と、カメラ４２９と、を備えている。また、この発明にかかる実施の形態のポイント処理システム１００を構成する利用者の端末装置１３０を実現するスマートフォンが備える各構成部４２１〜４２９は、バス４２０によってそれぞれ接続されている。
【００５３】
ＣＰＵ４２１は、スマートフォン全体の制御をつかさどる。ＲＯＭ４２２は、ブートプログラムなどのプログラムを記憶している。ＲＡＭ４２３は、ＣＰＵ４２１のワークエリアとして使用される。ネットワークＩ／Ｆ４２４は、インターネットなどのネットワーク１４０を介して、当該ネットワーク１４０に接続されたコンピュータ装置や別のスマートフォンとの間におけるデータの入出力を制御する。また、ネットワークＩ／Ｆ４２４は、電話回線網に接続されており、別のスマートフォン（携帯型電話機やＰＨＳ）などの通信端末装置や、固定型電話機との間における音声による通話を実現する。
【００５４】
ディスプレイ４２５は、たとえば、スマートフォンを携帯型電話機（あるいはＰＨＳ）として利用する場合における設定中のモード（マナーモードやドライブモードなど）や電波の受信状態を示す各種のマーク、アイコンあるいはツールボックスなどを表示する。ディスプレイ４２５は、たとえば、主に液晶ディスプレイや有機ＥＬ（Ｅｌｅｃｔｒｏ−Ｌｕｍｉｎｅｓｃｅｎｃｅ）ディスプレイなどによって実現することができる。
【００５５】
操作部４２６は、文字、数値、各種指示などの入力のためのキーを備え、データ入力をおこなう。操作部４２６は、たとえば、タッチパネルやキーボードなどによって実現することができる。タッチパネルやキーボードなどによって実現される操作部４２６は、当該操作部４２６に対する入力操作に応じた信号を出力する。
【００５６】
操作部４２６をタッチパネルによって実現する場合、当該タッチパネルは、ディスプレイ４２５の表示面側に積層される。タッチパネルは、指やペンなどの筆記部材が接触したことを検出した場合に、タッチパネルに対する筆記部材の接触位置に応じた電気信号を出力する。
【００５７】
マイク４２７は、アナログデータとして入力された話者の声をアナログ／デジタル変換し、デジタル形式の音声データを生成する。スピーカー４２８は、通話相手側から送信されたデジタル形式の音声データをデジタル／アナログ変換し、アナログ形式の音声データに基づいてスピーカコーンにおけるコイルに通電するなどして音声を出力する。
【００５８】
カメラ４２９は、操作部４２６の操作によって撮像対象を撮像し、画像データを生成する。生成された画像データは、ＲＡＭ４２３などに記憶される。ネットワークＩ／Ｆ４２４は、インターネットなどのネットワーク１４０に接続され、当該ネットワーク１４０と利用者の端末装置１３０を実現するスマートフォンの内部とのインターフェイスをつかさどる。
【００５９】
（表示画面例）
つぎに、この発明にかかる実施の形態のポイント処理システム１００における表示画面例について説明する。図５、図６−１および図６−２は、それぞれ、この発明にかかる実施の形態のポイント処理システム１００における表示画面例を示す説明図である。
【００６０】
図５においては、利用者の端末装置１３０が備えるディスプレイが表示する表示画面例を示している。図５において、表示画面５００は、利用者のカード番号や、現在までに発行されて貯められているポイントのポイント数や、当該ポイントの失効期日（ポイント期限）などを表示する。
【００６１】
また、表示画面５００は、ポイントの利用条件を表示する。表示画面５００に表示されたポイントの利用条件は、表示画面５００を表示した時点で設定されているポイントの利用条件を示すとともに、設定可能なポイントの利用条件の一覧を示している。表示画面５００においては、内側が塗り潰された四角によって表示画面５００を表示した時点で設定されているポイントの利用条件を示している。また、表示画面５００においては、内側が白抜きの四角によって設定可能なポイントの利用条件を示している。
【００６２】
図６−１および図６−２においては、店舗の端末装置１２０が備えるディスプレイ３０６が表示する表示画面例を示している。図６−１において、表示画面６１０は、店舗の端末装置１２０が備えるディスプレイ３０６のうち、店員側に情報を表示させるディスプレイに表示される。
【００６３】
表示画面６１０は、「一点で２０円です。今なら○×（商品名）購入(１００円)で２ポイントつきます。○×はいかかですか？」などのように、店員が利用者に対して伝える情報を表示する。店員側に情報を表示させるディスプレイには、表示画面に表示した内容を読み上げるだけで当該内容を利用者に伝えることができるようなメッセージのみを表示することが好ましい。表示画面６１０は、店舗の端末装置１２０が備えるディスプレイ３０６のうち、店員側に情報を表示させるディスプレイに先に表示されている情報に重ねて、ポップアップ表示させることができる。
【００６４】
これにより、店員が独自にアレンジしたことをしゃべらせる必要がなく、店員に対して、利用者の対応を迅速におこなわせることができる。そして、これにより、たとえば、昼休み時のコンビニエンスストアや夕方のスーパーマーケットなど、利用者の対応を迅速におこなうべき状況下において、店員に独自のアレンジを求めることによる対応の遅延をなくし、利用者の対応を迅速におこなわせることができる。
【００６５】
図６−２において、表示画面６２０は、店舗の端末装置１２０が備えるディスプレイ３０６のうち、利用者側に情報を表示させるディスプレイに表示される。表示画面６２０は、「決済処理前までに貯められているポイント（購入前ポイント）」、「決済処理の対象となる利用金額（商品金額）」、「今回の決済で利用する（予定の）ポイント（使用ポイント）」、「利用者に支払いを求める金額（支払い金額）」、「今回の決済によりあらたに発行されるポイント（今回ポイント）」、「今回の決済後のポイント（ポイント残り）」など、決済処理に際して変動するポイントに関する各種の情報を表示する。表示画面６２０においては、利用者に当該利用者自身が最適と考える内容でポイントを利用できるように、複数の情報を表示することが好ましい。
【００６６】
（ポイント条件データベースの一例）
つぎに、この発明にかかる実施の形態のポイント処理システム１００が用いる各ポイント条件データベースの一例について説明する。この発明にかかる実施の形態のポイント処理システム１００においては、ポイント条件データベースを用いて各種の処理を実現する。
【００６７】
ポイント条件データベースは、たとえば、ポイント処理装置１１０が備えるＨＤ２０５に記憶される。ポイント条件データベースは、たとえば、ポイント処理装置１１０と一体に設けられた記憶媒体に記憶されるものに限らない。ポイント条件データベースは、たとえば、ポイント処理装置１１０とは別体のコンピュータ装置に設けられた記憶媒体やポイント処理装置１１０とは別体の記憶装置に記憶されるものであってもよい。
【００６８】
図７は、ポイント条件データベースの一例を示す説明図である。図７において、ポイント処理装置１１０は、利用者の識別情報ごとに、当該利用者に提供した商品またはサービスの代価に応じて発行されたポイントと、当該ポイントの利用条件と、を関連付けて記憶するポイント条件データベース７００を備えている。
【００６９】
利用者の識別情報は、利用者を一意に識別可能な情報であって、たとえば、クレジットカードのカード番号などによって実現することができる。クレジットカード番号においては、最初の６桁の銀行識別番号（Ｂａｎｋ  Ｉｄｅｎｔｉｆｉｃａｔｉｏｎ  Ｎｕｍｂｅｒ：ＢＩＮ）によって、クレジットカード会社などのカードの発行事業者を特定することができる。クレジットカード番号は、ＢＩＮを含み、カードの発行事業者によって割り当てられた任意の数列によって構成され、カードごとに固有の情報とされている。
【００７０】
また、利用者の識別情報は、たとえば、所定桁数の数字やアルファベットを組み合わせた会員番号によって実現してもよい。この場合、会員番号は、たとえば、ポイント処理システム１００に加入した利用者に発行された会員カードが備える記憶媒体に記憶することができる。
【００７１】
会員番号などによって実現される利用者の識別情報は、各利用者を識別可能な情報に限るものではない。会員番号などによって実現される利用者の識別情報は、各利用者を識別するのではなく、各利用者に発行されたポイントカードなどのカードを一意に識別可能な情報であってもよい。
【００７２】
この実施の形態において、ポイント処理装置１１０は、利用者の識別情報の入力をともなっておこなわれた決済処理にかかる代価に応じた数（ポイント数）のポイントを発行する。また、この実施の形態において、ポイント処理装置１１０は、利用者が購入した商品や利用者が利用したサービスなど、利用者に提供した商品またはサービスに対して、当該利用者が店舗に支払った金額を代価に決定して、当該代価に応じた数（ポイント数）のポイントを発行する。支払いは、現金を用いておこなわれたものであってもよいし、クレジットカードなどのカードを用いたカード決済によっておこなわれたものであってもよい。
【００７３】
この実施の形態において、ポイント処理装置１１０は、所定の条件にしたがって、決済処理にかかる代価に応じた数（ポイント数）のポイントを算出し、算出したポイント数分のポイントを利用者に発行する。ポイント処理装置１１０は、利用者に発行したポイントを、当該ポイントの算出にかかる決済処理に際して入力された利用者の識別情報に関連付けて、ポイント条件データベース７００に記憶する。この実施の形態において、ポイント処理装置１１０は、決済処理をおこなうことによって算出したポイントと、当該ポイントを算出するまでに受け付けた利用者の識別情報のうち入力日時がもっとも遅い（最近の）利用者の識別情報と、を関連付けてポイント条件データベース７００に記憶する。
【００７４】
また、この実施の形態において、ポイント処理装置１１０は、ポイントを算出した日時と、当該ポイントを算出するまでに受け付けた利用者の識別情報のうち入力日時がもっとも遅い（最近の）利用者の識別情報を受け付けた日時と、が所定時間以上離れている場合、ポイントの算出をおこなわないようにしてもよい。これにより、たとえば、前回の決済処理の対象となる利用者が、会員カードを提示して決済の意思を示したものの、支払いをおこなう前に当該決済処理を中断し、その次の回の決済処理の対象となる利用者が会員カードを所持していない場合に、本来、次の回の決済処理の支払いをおこなった利用者にかかる代価に応じたポイントが、前回の決済処理の対象となる利用者の識別情報に記憶されることを回避できる。
【００７５】
たとえば、コンビニエンスストアなどの小売店においては、決済処理を開始する際に、来店者の性別やおおよその年齢などの所定の情報を入力することが広くおこなわれている。この発明にかかる実施の形態のポイント処理システム１００は、たとえば、決済処理を開始する際に所定の情報を入力する運用をおこなっている小売店に適用し、来店者の性別やおおよその年齢などが入力された後の１回目に受け付けた利用者の識別情報と、来店者の性別やおおよその年齢などが入力された後の１回目におこなわれた決済処理にかかるポイントと、を関連付けて、ポイント処理装置１１０によりポイント条件データベース７００に記憶させることができる。
【００７６】
決済処理をおこなうことによって発行したポイントは、次の回以降の決済処理にかかる支払いに充当して利用することができる。決済処理をおこなう際に、前回の決済処理までに発行したポイントを支払いに充当した場合、ポイント処理装置１１０は、商品やサービスの利用金額から、支払いに充当したポイントに相当する金額を差し引いた金額を代価に決定して、当該代価に相当する分のポイントを発行する。記憶しているポイント数によっては、代価のすべてをポイントで支払うように当該ポイントを充当することができる。
【００７７】
ポイントの利用条件は、上記のように、決済処理をおこなう際に、前回の決済処理までに発行されてポイント条件データベース７００が記憶するポイントを、今回の決済処理にかかる支払いに利用するか否かを規定する。この場合、ポイントの利用条件は、具体的には、たとえば、「決済処理をおこなう際にポイントを利用する。」や「決済処理をおこなう際にポイントは利用せず、決済処理をおこなうことによって発行されたポイントを貯める。」などのように設定することによって、ポイント条件データベース７００が記憶するポイントを利用するか否かを規定することができる。
【００７８】
また、ポイントの利用条件は、決済処理をおこなう際に、当該決済処理にかかる支払いに充当するポイント数を決定する判断基準を規定してもよい。この場合、ポイントの利用条件は、具体的には、たとえば、「充当可能なだけ利用する。」、「５００円に相当する分利用する。」などのように設定することによって、決済処理にかかる支払いに充当するポイント数を決定する判断基準を規定することができる。
【００７９】
また、具体的には、たとえば、「決済処理をおこなう際にポイントを利用する。」という利用条件を設定した場合、ポイントの利用条件によって、ポイントを利用する時期を規定することができる。ポイントを利用する時期を規定するポイントの利用条件は、より具体的には、たとえば、「前回ポイントを利用してから１ヶ月以上経過している場合に利用する。」、「毎月１０日から２０日の間におこなった決済に際して利用する。」、「ポイントの失効期日の１ヶ月以内になったら利用する。」などのように、ポイントを利用する時期を規定してもよい。また、ポイントの利用条件は、たとえば、「決済金額に充当する。」、「１０００ポイント貯まったら景品Ａと交換する。」などのように、ポイントをどのように利用するのかを規定してもよい。
【００８０】
また、具体的には、たとえば、「決済処理をおこなう際にポイントを利用する。」という利用条件を設定した場合、どのように利用するかを規定するポイントの利用条件を設定することができる。どのように利用するかを規定するポイントの利用条件は、より具体的には、たとえば、「貯まっているポイントをすべて（可能な限り多く）利用する。」、「１００ポイント単位で利用する。」などのように設定することによって、利用すると判断したポイントを、さらに、どのように利用するかを規定することができる。
【００８１】
「１００ポイント単位で利用する。」などのようにポイントを利用する際の単位を規定する単位ポイント数は、たとえば、「１００ポイント」、「５０ポイント」などのように任意に設定することができる。単位ポイント数は、たとえば、「１ポイント」に設定することもできる。単位ポイント数は、たとえば、ポイント処理システム１００の運用者などが任意に設定することができる。あるいは、単位ポイント数は、利用者が任意に設定できるようにしてもよい。
【００８２】
単位ポイント数の整数倍となる数は、たとえば、単位ポイント数が１００ポイントである場合、「１００」、「２００」、・・・、「１０００」、・・・などの数によって実現される。また、単位ポイント数の整数倍となる数は、たとえば、単位ポイント数が５０ポイントである場合、「５０」、「１００」、・・・、「５５０」、・・・などの数によって実現される。
【００８３】
ポイントの利用条件は、複数組み合わせることができる。具体的には、たとえば、「１ポイント以上の場合に利用する。」というポイントの利用条件と、「貯まっているポイントをすべて利用する。」というポイントの利用条件と、を設定した場合、決済に際しては、貯まっているポイントのうち充当可能なすべてのポイントが代価に充当される。この場合、ポイント数によっては、充当するポイント数に応じた金額が代価から差し引かれる。また、この場合、記憶しているポイント数によっては、代価のすべてをポイントを利用して支払うことができる。
【００８４】
ポイント条件データベース７００が記憶する各情報は、利用者が任意に設定することができる。具体的には、ポイント処理装置１１０は、たとえば、利用者の端末装置１３０から、ポイント処理システム１００の運営者などが作成した所定のＷＥＢサイトへのアクセス要求を受け付けた場合に、当該利用者の端末装置１３０に対して、ポイントの利用条件の入力を受け付けるＷＥＢページなどを表示するための画面情報を出力する。
【００８５】
利用者の端末装置１３０は、ポイント処理装置１１０から出力された画面情報に基づいてＷＥＢページなどの各種の表示画面を表示する。利用者は、利用者の端末装置１３０が表示する表示画面の表示内容にしたがってポイントの利用条件を入力する入力操作をおこなう。利用者の端末装置１３０は、ポイントの利用条件を入力する表示画面を表示している状態で所定の入力操作を受け付けた場合に、ポイント処理装置１１０に対して、利用条件登録要求を出力する。利用条件登録要求は、利用者の識別情報や、当該利用者が入力したポイントの利用条件に関する情報などを含んでいる。
【００８６】
（ポイント処理装置１１０の機能的構成）
つぎに、この発明にかかる実施の形態のポイント処理システム１００が備えるポイント処理装置１１０の機能的構成について説明する。図８は、この発明にかかる実施の形態のポイント処理システム１００が備えるポイント処理装置１１０の機能的構成を示すブロック図である。
【００８７】
図８において、この発明にかかる実施の形態のポイント処理システム１００が備えるポイント処理装置１１０の各機能は、記憶部８０１と、受付部８０２と、利用条件取得部８０３と、判断部８０４と、確認要求出力部８０５と、応答受付部８０６と、代価決定部８０７と、出力部８０８と、完了通知受付部８０９と、ポイント算出部８１０と、更新部８１１と、残りポイント数判断部８１２と、報知部８１３と、更新受付部８１４と、によって実現される。
【００８８】
ポイント処理装置１１０の各機能を実現する記憶部８０１、受付部８０２、利用条件取得部８０３、判断部８０４、確認要求出力部８０５、応答受付部８０６、代価決定部８０７、出力部８０８、完了通知受付部８０９、ポイント算出部８１０、更新部８１１、残りポイント数判断部８１２、報知部８１３、更新受付部８１４は、この発明にかかる実施の形態のポイント処理装置１１０を構成する各部によって実現することができる。
【００８９】
記憶部８０１は、ポイント条件データベース７００など、各種のデータベースを備えている。受付部８０２は、店舗の端末装置１２０から、商品またはサービスの利用金額および利用者の識別情報を含む決済要求を受け付ける。受付部８０２は、店舗の端末装置１２０が読み取ったポイントカードなどのカードに記憶されたカード情報や、店舗の端末装置１２０が読み取った商品コードに関連付けられた当該商品の販売価格などを含む決済要求を受け付ける。
【００９０】
利用条件取得部８０３は、ポイント条件データベース７００から、受付部８０２が受け付けた決済要求に含まれる利用者の識別情報に関連付けられたポイントの利用条件を取得する。利用条件取得部８０３は、受付部８０２が受け付けた決済要求から当該決済要求に含まれる利用者の識別情報を抽出し、ポイント条件データベース７００において、決済要求から抽出した利用者の識別情報に関連付けられて記憶されているポイントの利用条件を取得する。
【００９１】
判断部８０４は、利用条件取得部８０３が取得したポイントの利用条件に基づいて、受付部８０２が受け付けた決済要求に応じた決済処理に、ポイント条件データベース７００が記憶するポイントを充当するか否かを判断する。具体的には、判断部８０４は、たとえば、ポイント条件データベース７００において、「１００ポイント貯まると使う」というポイントの利用条件が設定され、かつ、該当する利用者の識別情報に関連付けられたポイントのポイント数が１５０ポイントであった場合に、ポイントを充当すると判断する。
【００９２】
また、判断部８０４は、受付部８０２が決済要求を受け付けた時点から所定期間内に失効期日が到来する場合に、ポイントを充当すると判断してもよい。失効期日からさかのぼる所定期間は、たとえば、利用者が任意に設定することができる。また、失効期日からさかのぼる所定期間は、たとえば、ポイント処理システム１００の運用者などが任意に設定してもよい。
【００９３】
具体的には、判断部８０４は、たとえば、所定期間が３０日に定められ、かつ、受付部８０２が２０１２年４月１０日に受け付けた決済要求に基づいてポイント条件データベース７００から取得されたポイントの利用条件における失効期日が「２０１２年５月１日」である場合に、ポイントを充当すると判断する。また、具体的には、判断部８０４は、たとえば、所定期間が３０日に定められ、かつ、受付部８０２が２０１２年３月３０日に受け付けた決済要求に基づいてポイント条件データベース７００から取得されたポイントの利用条件における失効期日が「２０１２年５月１日」である場合に、ポイントを充当しないと判断する。
【００９４】
また、判断部８０４は、ポイント条件データベース７００が記憶するポイントの数が、ポイントを充当する判断にかかる下限値となる下限ポイント数以上である場合に、当該ポイントを充当すると判断してもよい。ポイントを充当する判断にかかる下限値は、たとえば、利用者が任意に設定することができる。また、ポイントを充当する判断にかかる下限値は、たとえば、ポイント処理システム１００の運用者などが任意に設定してもよい。
【００９５】
具体的には、判断部８０４は、たとえば、ポイント条件データベース７００において、下限ポイント数が１００ポイントに設定され、かつ、該当する利用者の識別情報に関連付けられたポイントのポイント数が１５０ポイントであった場合に、ポイントを充当すると判断する。
【００９６】
また、判断部８０４は、ポイント条件データベース７００が記憶するポイントの数が、単位ポイント数以上である場合に、当該ポイントを充当すると判断してもよい。具体的には、判断部８０４は、たとえば、ポイント条件データベース７００において、単位ポイント数が１００ポイントに設定され、かつ、該当する利用者の識別情報に関連付けられたポイントのポイント数が１５０ポイントであった場合に、１００ポイントを充当すると判断する。また、具体的には、判断部８０４は、たとえば、ポイント条件データベース７００において、単位ポイント数が１００ポイントに設定され、かつ、該当する利用者の識別情報に関連付けられたポイントのポイント数が２３０ポイントであった場合に、２００ポイントを充当すると判断する。
【００９７】
確認要求出力部８０５は、判断部８０４が、失効期日に基づいてポイントを充当すると判断した場合に、ポイントを利用金額に充当した金額を代価とする決済処理をおこなうか否かの確認を要求する確認要求を出力する。具体的には、確認要求出力部８０５は、たとえば、所定期間が３０日に定められ、かつ、受付部８０２が２０１２年４月１０日に受け付けた決済要求に基づいてポイント条件データベース７００から取得されたポイントの利用条件における失効期日が「２０１２年５月１日」である場合に、確認要求を出力する。
【００９８】
確認要求出力部８０５が出力する確認要求は、たとえば、店舗の端末装置１２０が備えるディスプレイ３０６に、「ポイントの失効期限が近づいています。ポイントを利用しますか。」などのメッセージを表示させる指示情報を含む。また、確認要求は、たとえば、店舗の端末装置１２０が備えるディスプレイ３０６（客側のディスプレイ）に、「ポイントを利用する。」や「ポイントを利用しないで貯める。」などのように、ポイントを利用した決済処理を承認するか非承認するかについての利用者の意思を入力する操作キーを表示させる指示情報を含んでいてもよい。
【００９９】
ポイント処理システム１００の運用上、利用者または店員は、ポイントを利用した決済処理を承認するか非承認するかについての利用者の意思を、店舗の端末装置１２０が備えるディスプレイ３０６に表示された操作キーを操作するなどして入力する。店舗の端末装置１２０は、ポイントを利用した決済処理を承認するか非承認するかについての利用者の意思が入力された場合、入力された内容を通知する応答情報を、ポイント処理装置１１０に対して出力する。応答受付部８０６は、確認要求出力部８０５が出力した確認要求に対して店舗の端末装置１２０から出力された、決済処理の承認または非承認を通知する応答情報を受け付ける。
【０１００】
代価決定部８０７は、判断部８０４が充当しないと判断した場合は受付部８０２が受け付けた決済要求に含まれる利用金額を代価に決定し、判断部８０４が充当すると判断した場合は利用条件取得部８０３が取得したポイントの利用条件に基づいてポイント条件データベース７００が記憶するポイントを利用金額に充当したときの金額を代価に決定する。
【０１０１】
また、代価決定部８０７は、応答受付部８０６が受け付けた応答情報に基づいて代価を決定してもよい。具体的には、たとえば、所定期間が３０日に定められ、かつ、受付部８０２が２０１２年４月１０日に受け付けた決済要求に基づいてポイント条件データベース７００から取得されたポイントの利用条件における失効期日が「２０１２年５月１日」である場合に、確認要求出力部８０５が確認要求を出力した結果、応答受付部８０６が該当する決済処理の非承認を通知する応答情報を受け付けた場合、ポイントを充当しないと判断する。
【０１０２】
これにより、失効期日に基づいてポイントを充当すると判断される状況であっても、利用者が「失効期日ぎりぎりまでポイントを貯める。」という意思を持っている場合は、該当する決済処理にポイントが充当されることを回避できる。
【０１０３】
また、代価決定部８０７は、単位ポイント数の整数倍のポイントを利用金額に充当したときの金額を代価に決定してもよい。具体的には、代価決定部８０７は、たとえば、ポイント条件データベース７００において、単位ポイント数が１００ポイントに設定され、かつ、該当する利用者の識別情報に関連付けられたポイントのポイント数が１５０ポイントであった場合に、１００ポイントを利用金額に充当したときの金額を代価に決定する。
【０１０４】
また、具体的には、代価決定部８０７は、たとえば、ポイント条件データベース７００において、単位ポイント数が１００ポイントに設定され、かつ、該当する利用者の識別情報に関連付けられたポイントのポイント数が２３０ポイントであった場合に、２００ポイントを利用金額に充当したときの金額を代価に決定する。
【０１０５】
代価決定部８０７は、単位ポイント数の整数倍のポイントを利用金額に充当したときの金額を代価に決定するものに限らない。具体的には、代価決定部８０７は、たとえば、ポイント条件データベース７００において、下限ポイント数が１００ポイントに設定され、かつ、該当する利用者の識別情報に関連付けられたポイントのポイント数が１５０ポイントであった場合に、１５０ポイントを利用金額に充当したときの金額を代価に決定してもよい。
【０１０６】
出力部８０８は、代価決定部８０７が決定した代価を店舗の端末装置１２０に対して出力する。店舗の端末装置１２０は、ポイント処理装置１１０から出力された代価を受け付けた場合、当該代価を決済金額とする決済処理をおこなう。決済処理は、現金の支払いをともなう決済処理であってもよく、クレジットカードや電子マネーのなどの現金に代わる決済手段をともなう決済処理であってもよい。店舗の端末装置１２０がおこなう決済処理については、公知の技術であるため、説明を省略する。店舗の端末装置１２０は、決済処理をおこなった後、当該決済処理にかかる決済金額を含む決済完了通知を、ポイント処理装置１１０に対して出力する。
【０１０７】
完了通知受付部８０９は、出力部８０８が出力した代価に基づいて、店舗の端末装置１２０がおこなった決済処理にかかる決済金額を含む決済完了通知を受け付ける。ポイント算出部８１０は、完了通知受付部８０９が受け付けた決済完了通知に基づいて、当該決済完了通知に含まれる決済金額に応じたポイントを算出する。
【０１０８】
更新部８１１は、ポイント条件データベース７００が記憶するポイントのうち受付部８０２が受け付けた識別情報に関連付けられたポイントに、ポイント算出部８１０が算出したポイントを加算することによりポイント条件データベース７００を更新する。また、更新部８１１は、完了通知受付部８０９が受け付けた決済完了通知に含まれる決済金額が、代価決定部８０７が決定して出力部８０８が出力した代価と同じであった場合、ポイント条件データベース７００が記憶するポイントから、当該代価の決定に供されたポイント数分のポイントを減算することによりポイント条件データベース７００を更新する。
【０１０９】
残りポイント数判断部８１２は、受付部８０２が決済要求を受け付けた場合、単位ポイント数の整数倍となる数と店舗の端末装置１２０における決済処理後のポイントとの差分が、所定値以下であるか否かを判断する。所定値は、たとえば、ポイント処理システム１００の運用者などが任意に設定することができる。
【０１１０】
残りポイント数判断部８１２がおこなう処理についての具体例について説明する。具体例として、たとえば、代価１０円あたり０．１ポイントを発行し、かつ、１ポイントを１円に換算して決済金額に充当できる運用条件が設定され、利用者が貯めているポイント数が１９８ポイントであって、かつ、ポイント条件データベース７００において「１００ポイント以上の場合に利用する。」というポイントの利用条件と「１００ポイント単位で利用する。」というポイントの利用条件とが記憶されている状況下において、１２０円という決済金額の決済要求を受け付けた場合を例にして説明する。
【０１１１】
この場合、決済処理に充当可能なポイント数は１００ポイントとなり、決済処理後の残りポイント数は、１９８ポイント−１００ポイント＝９８ポイントとなる。また、この場合、決済処理に１００ポイントを充当するため、代価は２０円となる。そして、代価２０円となる決済処理をおこなった場合、該当する利用者に対して０．２ポイントが発行されるため、当該利用者の決済処理をおこなった後のポイント数は９８．２ポイントとなる。
【０１１２】
残りポイント数判断部８１２は、決済処理をおこなった後のポイント数である９８．２ポイントと、「１００ポイント単位で利用する。」というポイントの利用条件と、に基づいて、１００ポイントと９８．２ポイントとの差分を算出し、当該差分があらかじめ定められた所定値以下であるか否かを判断する。この場合、差分は０．８ポイントとなる。
【０１１３】
たとえば、判断の基準となる所定値を±１とした場合、上記の例においては差分が０．８ポイントであるため、差分が所定値以下であると判断する。上記の例に示した各条件が設定されている場合、差分が「１．１」あるいは「−１．１」であると、残りポイント数判断部８１２は、差分が所定値以下ではないと判断する。
【０１１４】
報知部８１３は、残りポイント数判断部８１２が差分が所定値以下であると判断した場合、当該差分以上のポイントが発行される金額、および、当該金額の商品あるいはサービス、の少なくとも一方を報知する。具体的には、報知部８１３は、たとえば、上記の残りポイント数判断部８１２の説明における具体例が示す状況において、判断の基準となる所定値が±１であり、差分が０．８ポイントである場合、店舗の端末装置１２０に対して、当該店舗の端末装置１２０が備えるディスプレイ３０６に「今なら○×購入（１００円分の商品）で２ポイントつきます。○×はいかがですか？」などのように、利用者に対して、１００円分の商品の購入を勧めるメッセージを表示させる指示情報を出力する。
【０１１５】
店舗の端末装置１２０が、店員に対して情報を表示するディスプレイと利用者に対して情報を表示するディスプレイとを備えている場合、利用者に対して所定金額の商品の購入を勧めるメッセージは、店員に対して情報を表示するディスプレイに表示してもよく、利用者に対して情報を表示するディスプレイに表示してもよく、いずれのディスプレイにも表示するようにしてもよい。
【０１１６】
また、店舗の端末装置１２０が、利用者に対して情報を表示するディスプレイを備えている場合、報知部８１３は、利用者に対して情報を表示するディスプレイに、表示画面６２０のように、利用者のポイントの状況を案内する情報を表示させる指示情報を出力してもよい。これにより、利用者は、状況を素早く理解することができ、該当する金額の商品を購入するかしないかを素早く判断することができる。そして、これによって、当該利用者に後続するつぎの利用者の待ち時間を減らすことができる。
【０１１７】
更新受付部８１４は、利用者の端末装置１３０から出力された、更新要求を受け付ける。更新要求は、上記のように、利用者の端末装置１３０から所定のＷＥＢサイトへアクセスすることによって当該利用者の端末装置１３０において表示された表示画面の表示内容にしたがってポイントの利用条件などを入力する入力操作がおこなわれた場合に、当該利用者の端末装置１３０から出力される。更新受付部８１４は、利用者の端末装置１３０から更新要求を直接受け付けてもよく、利用者の端末装置１３０から出力された更新要求を所定のＷＥＢサイトを介して受け付けてもよい。上記の更新部８１１は、更新受付部８１４が更新要求を受け付けた場合、当該更新要求に基づいて、ポイント条件データベース７００におけるポイントの利用条件などを更新する。
【０１１８】
（店舗の端末装置１２０の処理手順）
つぎに、この発明にかかる実施の形態の店舗の端末装置１２０の処理手順について説明する。図９は、この発明にかかる実施の形態の店舗の端末装置１２０の処理手順を示すフローチャートである。図９のフローチャートにおいて、まず、カード情報の入力を受け付けたか否かを判断する（ステップＳ９０１）。ステップＳ９０１においては、クレジットカードあるいは会員カードの読み取り処理をおこなったか否かを判断することによって、カード情報の入力を受け付けたか否かを判断する。
【０１１９】
ステップＳ９０１において、カード情報の入力を受け付けるまで待機し（ステップＳ９０１：Ｎｏ）、カード情報の入力を受け付けた場合（ステップＳ９０１：Ｙｅｓ）、商品コードの入力を受け付けたか否かを判断する（ステップＳ９０２）。ステップＳ９０２においては、たとえば、商品に付されたバーコードを読み取ったか否かを判断することによって、商品コードの入力を受け付けたか否かを判断する。ステップＳ９０２において、商品コードの入力を受け付けていない場合（ステップＳ９０２：Ｎｏ）、商品コードの入力を受け付けるまで待機する。
【０１２０】
ステップＳ９０２において、商品コードの入力を受け付けた場合（ステップＳ９０２：Ｙｅｓ）、入力を受け付けた商品コードに基づいて、当該商品コードに関連付けられている商品情報を取得する（ステップＳ９０３）。ステップＳ９０３においては、たとえば、あらかじめ、店舗のサーバ装置などにおいて、商品コードごとに当該商品の販売価格や商品名などを関連付けて記憶する商品データベースから、ステップＳ９０２：Ｙｅｓにおいて入力を受け付けた商品コードに関連付けられた商品情報を取得する。
【０１２１】
そして、ステップＳ９０３において取得した商品情報に基づいて小計金額を算出し（ステップＳ９０４）、小計金額を算出するごとに、「預／現計」キーが操作されたか否かを判断する（ステップＳ９０５）。ステップＳ９０５において、「預／現計」キーが操作されていない場合（ステップＳ９０５：Ｎｏ）、ステップＳ９０２に戻り、商品コードの入力を受け付けたか否かを判断する。
【０１２２】
一方、ステップＳ９０５において、「預／現計」キーが操作された場合（ステップＳ９０５：Ｙｅｓ）、ステップＳ９０１：Ｙｅｓにおいてカード情報の入力を受け付けてから、ステップＳ９０５：Ｙｅｓにおいて決済キーが操作されるまでの間に取得した商品情報に基づいて算出された小計金額と、ステップＳ９０１：Ｙｅｓにおいて入力を受け付けたカード情報に含まれる利用者の識別情報と、を含む決済要求を生成する（ステップＳ９０６）。そして、ポイント処理装置１１０に対して、ステップＳ９０６において生成した決済要求を送信する（ステップＳ９０７）。
【０１２３】
つぎに、ステップＳ９０７において送信した決済要求に応じてポイント処理装置１１０から出力された確認要求を受け付けたか否かを判断する（ステップＳ９０８）。ステップＳ９０８において、確認要求を受け付けていない場合（ステップＳ９０８：Ｎｏ）、ステップＳ９１３へ移行する。
【０１２４】
一方、ステップＳ９０８において、確認要求を受け付けた場合（ステップＳ９０８：Ｙｅｓ）、店舗の端末装置１２０が備えるディスプレイ３０６に、確認情報を出力する（ステップＳ９０９）。ステップＳ９０９においては、たとえば、店舗の端末装置１２０が備えるディスプレイ３０６に、「ポイントの失効期限が近づいています。ポイントを利用しますか。」などのメッセージや、「ポイントを利用する。」や「ポイントを利用しないで貯める。」などのように、ポイントを利用した決済処理を承認するか非承認するかについての利用者の意思を入力する操作キーを表示させる指示情報を表示させることによって確認情報を出力する。
【０１２５】
ステップＳ９１０においては、ステップＳ９０９において出力した確認情報に対する確認操作を受け付けたか否かを判断する（ステップＳ９１０）。ステップＳ９１０においては、たとえば、店舗の端末装置１２０が備えるディスプレイ３０６に表示させた、「ポイントを利用する。」や「ポイントを利用しないで貯める。」などのように、ポイントを利用した決済処理を承認するか非承認するかについての利用者の意思を入力する操作キーが操作されたか否かを判断することによって、確認操作を受け付けたか否かを判断する。
【０１２６】
ステップＳ９１０において、ステップＳ９０９において出力した確認情報に対する確認操作を受け付けるまで待機し（ステップＳ９１０：Ｎｏ）、当該確認操作を受け付けた場合（ステップＳ９１０：Ｙｅｓ）、受け付けた確認操作の内容に基づいて応答情報を生成する（ステップＳ９１１）。そして、ポイント処理装置１１０に対して、ステップＳ９１１において生成した応答情報を出力する（ステップＳ９１２）。
【０１２７】
ステップＳ９１３においては、ポイント処理装置１１０から出力された代価を受け付けたか否かを判断する（ステップＳ９１３）。ステップＳ９１３において、ポイント処理装置１１０から出力された代価を受け付けていない場合（ステップＳ９１３：Ｎｏ）、ステップＳ９０８へ戻る。
【０１２８】
一方、ステップＳ９１３において、ポイント処理装置１１０から出力された代価を受け付けた場合（ステップＳ９１３：Ｙｅｓ）、受け付けた代価に基づいて決済処理を実行する（ステップＳ９１４）。ステップＳ９１４においては、現金の支払いをともなう決済処理であってもよく、クレジットカードや電子マネーなどの現金に代わる決済手段をともなう決済処理であってもよい。
【０１２９】
つぎに、ステップＳ９１４において実行した決済処理にかかる決済完了通知を生成し（ステップＳ９１５）、ポイント処理装置１１０に対して、ステップＳ９１５において生成した決済完了通知を出力して（ステップＳ９１６）、一連の処理を終了する。
【０１３０】
（ポイント処理装置１１０の処理手順）
つぎに、この発明にかかる実施の形態のポイント処理装置１１０の処理手順について説明する。図１０は、この発明にかかる実施の形態のポイント処理装置１１０の処理手順を示すフローチャートである。図１０のフローチャートにおいて、まず、店舗の端末装置１２０から出力された決済要求を受け付けるまで待機する（ステップＳ１００１：Ｎｏ）。
【０１３１】
ステップＳ１００１において、店舗の端末装置１２０から出力された決済要求を受け付けた場合（ステップＳ１００１：Ｙｅｓ）、受け付けた決済要求から、当該決済要求に含まれる利用者の識別情報および決済金額を抽出する（ステップＳ１００２）。そして、ステップＳ１００２において抽出した利用者の識別情報に基づいて、ポイント条件データベース７００を参照して、当該利用者の識別情報に関連付けられたポイントの利用条件を取得する（ステップＳ１００３）。
【０１３２】
つぎに、ステップＳ１００３において取得したポイントの利用条件に基づいて、ステップＳ１００１：Ｙｅｓにおいて受け付けた決済要求にかかる決済処理に、ポイントを充当するか否かを判断する（ステップＳ１００４）。ステップＳ１００４において、ポイントを充当しない場合（ステップＳ１００４：Ｎｏ）、ステップＳ１００９へ移行する。
【０１３３】
一方、ステップＳ１００４において、ポイントを充当する場合（ステップＳ１００４：Ｙｅｓ）、ステップＳ１００３において取得したポイントの利用条件に基づいて、ステップＳ１００４：Ｙｅｓの判断が、ポイントを充当するという判断が失効期日が近づいていることによる判断結果であるか、すなわち、ポイントの失効期日が近づいているか否かを判断する（ステップＳ１００５）。
【０１３４】
ステップＳ１００５において、ポイントを充当するという判断結果が、ポイントの失効期日が近づいていることによる判断結果ではない場合（ステップＳ１００５：Ｎｏ）、ステップＳ１００９へ移行する。一方、ステップＳ１００５において、ポイントを充当するという判断結果が、ポイントの失効期日が近づいていることによる判断結果の場合（ステップＳ１００５：Ｙｅｓ）、確認要求を生成する（ステップＳ１００６）。ステップＳ１００６においては、ポイントを利用金額に充当した金額を代価とする決済処理をおこなうか否かの確認を要求する確認要求を生成する。
【０１３５】
そして、ステップＳ１００１：Ｙｅｓにおいて受け付けた決済要求の送信元となる店舗の端末装置１２０に対して、ステップＳ１００６において生成した確認要求を出力する（ステップＳ１００７）。その後、ステップＳ１００７において出力した確認要求の送信先となる店舗の端末装置１２０から、当該確認要求に対する応答情報を受け付けるまで待機する（ステップＳ１００８：Ｎｏ）。
【０１３６】
ステップＳ１００８において、ステップＳ１００７において出力した確認要求の送信先となる店舗の端末装置１２０から、当該確認要求に対する応答情報を受け付けた場合（ステップＳ１００８：Ｙｅｓ）、当該応答情報およびステップＳ１００４の判断結果に基づいて、ステップＳ１００１：Ｙｅｓにおいて受け付けた決済要求にかかる決済処理の代価を決定する（ステップＳ１００９）。その後、ステップＳ１００１：Ｙｅｓにおいて受け付けた決済要求の送信元となる店舗の端末装置１２０に対して、ステップＳ１００９において決定した代価を出力する（ステップＳ１０１０）。
【０１３７】
つぎに、ステップＳ１０１０において出力した代価に基づいて決済処理を実行した店舗の端末装置１２０から出力された決済完了通知を受け付けるまで待機する（ステップＳ１０１１：Ｎｏ）。ステップＳ１０１１において、店舗の端末装置１２０から出力された決済完了通知を受け付けた場合（ステップＳ１０１１：Ｙｅｓ）、受け付けた決済完了通知に含まれる決済金額に基づいて、今回の決済処理において発行されるポイントを算出する（ステップＳ１０１２）。
【０１３８】
その後、ステップＳ１０１２において算出したポイントを、ステップＳ１００２において抽出した利用者の識別情報に関連付けられたポイントに加算することによりポイント条件データベース７００を更新して（ステップＳ１０１３）、一連の処理を終了する。
【０１３９】
以上説明したように、この発明にかかる実施の形態のポイント処理システム１００は、店舗の端末装置１２０から受け付けた決済要求に含まれる利用者の識別情報に関連付けられたポイントの利用条件を取得し、取得したポイントの利用条件に基づいて、決済要求に応じた決済処理に、ポイント条件データベース７００が記憶するポイントを充当するか否かを判断する。
【０１４０】
そして、この発明にかかる実施の形態のポイント処理システム１００は、充当しないと判断した場合は決済要求に含まれる利用金額を代価に決定し、充当すると判断した場合は、取得したポイントの利用条件に基づいて、ポイントを利用金額に充当したときの金額を代価に決定し、決定した代価を店舗の端末装置１２０に対して出力する。
【０１４１】
さらに、この発明にかかる実施の形態のポイント処理システム１００は、店舗の端末装置１２０に対して出力した代価に基づいて、当該店舗の端末装置１２０がおこなった決済処理にかかる決済金額を含む決済完了通知を受け付け、受け付けた決済完了通知に基づいて、当該決済完了通知に含まれる決済金額に応じたポイントを算出し、算出したポイントをポイント条件データベース７００が記憶するポイントに加算することによりポイント条件データベース７００を更新するようにしたことを特徴としている。
【０１４２】
この発明にかかる実施の形態のポイント処理システム１００によれば、利用者は、決済に際して、以前の支払いによって発行されたポイントを利用するか貯めるかを告知することなく、当該利用者の指定した利用条件にしたがってポイントを利用することができる。
【０１４３】
これによって、この発明にかかる実施の形態のポイント処理システム１００によれば、利用者と店員との間において決済の都度ポイントを利用するかどうかを確認する煩わしさをなくし、かつ、利用者や店員の不注意によって利用者がポイントの利用機会を逸することを防止することができる。
【０１４４】
特に、この発明にかかる実施の形態のポイント処理システム１００によれば、対面方式により決済をおこなう店舗における決済に際して、利用者と店員との間において決済の都度ポイントを利用するかどうかを確認する煩わしさをなくすことができ、かつ、利用者や店員の不注意によって利用者がポイントの利用機会を逸することを防止することができる。
【０１４５】
また、この発明にかかる実施の形態のポイント処理システム１００は、ポイント条件データベース７００が、識別情報ごとに記憶するポイントの失効期日に関する情報に基づいて、店舗の端末装置１２０からの決済要求を受け付けた時点から所定期間内に失効期日が到来する場合に、決済処理にポイントを充当すると判断するようにしたことを特徴としている。
【０１４６】
この発明にかかる実施の形態のポイント処理システム１００によれば、利用者は、決済に際して、ポイントを利用するか貯めるかを告知することなく、通常はポイントを貯め、失効期日が近づいた場合は当該利用者の指定した利用条件にしたがってポイントを利用することができる。
【０１４７】
これによって、この発明にかかる実施の形態のポイント処理システム１００によれば、利用者と店員との間において決済の都度ポイントを利用するかどうかを確認する煩わしさをなくし、かつ、失効期日の失念によって利用者がポイントの利用機会を逸することを防止することができる。
【０１４８】
また、この発明にかかる実施の形態のポイント処理システム１００は、失効期日に基づいてポイントを充当すると判断した場合に、店舗の端末装置１２０に対して、ポイントを利用金額に充当した金額を代価とする決済処理をおこなうか否かの確認要求を出力し、出力した確認要求に対する応答情報を店舗の端末装置１２０から受け付け、受け付けた応答情報に基づいて代価を決定するようにしたことを特徴としている。
【０１４９】
この発明にかかる実施の形態のポイント処理システム１００によれば、通常はポイントを貯める設定をしている利用者に対して、ポイントの失効期日が近づいている場合にのみポイントを利用するか否かを確認することにより、利用者は、失効期日の到来が近づいていることを認識できるとともに、失効期日が到来する直前までポイントを貯めることができる。
【０１５０】
これによって、この発明にかかる実施の形態のポイント処理システム１００によれば、利用者は、当該利用者の希望に極力適合した方法でポイントを利用することができ、かつ、失効期日の失念によって利用者がポイントの利用機会を逸することを防止することができる。
【０１５１】
また、この発明にかかる実施の形態のポイント処理システム１００は、ポイント条件データベース７００が記憶するポイントの数が、あらかじめ定められた下限ポイント数以上である場合に、当該ポイントを充当すると判断するようにしたことを特徴としている。
【０１５２】
この発明にかかる実施の形態のポイント処理システム１００によれば、利用者は、決済に際して、ポイントの利用方法を店員に説明することなく、たとえば、ポイントを充当することにより実質１００円以上値引きになるなど、当該利用者がポイントを充当することによる有用性を実感できる場合にポイントを充当するように指定した利用条件にしたがってポイントを利用することができる。
【０１５３】
これによって、この発明にかかる実施の形態のポイント処理システム１００によれば、利用者と店員との間において決済の都度ポイントを利用するかどうかを確認する煩わしさをなくし、かつ、利用者の希望を優先しつつ利用者や店員の不注意によって利用者がポイントの利用機会を逸することを防止することができる。
【０１５４】
また、この発明にかかる実施の形態のポイント処理システム１００は、ポイント条件データベース７００が記憶するポイントの数が単位ポイント数以上である場合に、当該ポイントを充当すると判断し、単位ポイント数の整数倍のポイントを利用金額に充当したときの金額を代価に決定するようにしたことを特徴としている。
【０１５５】
この発明にかかる実施の形態のポイント処理システム１００によれば、利用者は、決済に際して、ポイントの利用方法を店員に説明することなく、たとえば、ポイントを充当することにより実質１００円以上値引きになるなど、当該利用者がポイントを充当することによる有用性を実感できる場合にポイントを充当するように指定した利用条件にしたがってポイントを利用することができる。
【０１５６】
これによって、この発明にかかる実施の形態のポイント処理システム１００によれば、利用者と店員との間において決済の都度ポイントを利用するかどうかを確認する煩わしさをなくし、かつ、利用者の希望を優先しつつ利用者や店員の不注意によって利用者がポイントの利用機会を逸することを防止することができる。
【０１５７】
また、この発明にかかる実施の形態のポイント処理システム１００は、決済要求を受け付けた場合、単位ポイント数の整数倍となる数と店舗の端末装置１２０における決済処理後のポイントとの差分が、所定値以下である場合に、当該差分以上のポイントが発行される金額、および、当該金額の商品あるいはサービス、の少なくとも一方を報知するようにしたことを特徴としている。
【０１５８】
この発明にかかる実施の形態のポイント処理システム１００によれば、利用者は、決済に際して、ポイントの利用方法を店員に説明することなく、たとえば、ポイントを充当することにより実質１００円単位で値引きされるなど、当該利用者がポイントを充当することによる有用性を実感できる場合にポイントを充当するように指定した利用条件にしたがってポイントを利用することができる。
【０１５９】
これによって、この発明にかかる実施の形態のポイント処理システム１００によれば、利用者と店員との間において決済の都度ポイントを利用するかどうかを確認する煩わしさをなくし、かつ、利用者の希望を優先しつつ利用者や店員の不注意によって利用者がポイントの利用機会を逸することを防止することができる。
【０１６０】
なお、上述した実施の形態は、以下の応用例に示すように応用することができる。第１の応用例は、この発明にかかるポイント処理システムを、ＥＴＣ（Ｅｌｅｃｔｒｏｎｉｃ  Ｔｏｌｌ  Ｃｏｌｌｅｃｔｉｏｎ  Ｓｙｓｔｅｍ）と称される電子料金収受システムに適用した場合の例について説明する。
【０１６１】
図１１は、この発明にかかる第１の応用例のポイント処理システムを示す説明図である。図１１を用いて、ＥＴＣのシステム構成について簡単に説明する。図１１において、この発明にかかる第１の応用例のポイント処理システムを実現するＥＴＣは、車両１１０１に搭載されたＥＴＣ車載器（図示を省略する）と、当該ＥＴＣ車載器と通信可能な通信機器や通行料金を案内する表示器などを備えた路側装置１１０２などのＥＴＣ設備と、を含んで構成されている。
【０１６２】
路側装置１１０２は、高速道路などの有料道路への入り口（進入ゲート）や出口（退出ゲート）および高速道路中の料金所などに設けられ、ＥＴＣ車載器との間で通信をおこなう通信機能を備えている。高速道路への入り口（進入ゲート）に設置された路側装置１１０２は、入り口（進入ゲート）を通過する車両１１０１に搭載されたＥＴＣ車載器に対して入り口情報を送信する。入り口情報は、たとえば、当該入り口情報の送信元となる路側装置１１０２が設置されているインターチェンジを特定可能な情報を含む。
【０１６３】
高速道路からの出口（退出ゲート）に設置された路側装置１１０２は、当該出口（退出ゲート）を通過する車両１１０１に搭載されたＥＴＣ車載器から、当該ＥＴＣ車載器を搭載する車両１１０１が入り口（進入ゲート）を通過した際に、当該ＥＴＣ車載器が受信した入り口情報を受信（取得）する。また、高速道路からの出口（退出ゲート）に設置された路側装置１１０２は、受信した入り口情報に基づいて、当該ＥＴＣ車載器を搭載する車両１１０１が高速道路などの有料道路を走行した通行距離を積算し、積算した通行距離に応じた通行料金を算出する。
【０１６４】
高速道路からの出口（退出ゲート）に設置された路側装置１１０２は、さらに、算出した通行料金を報知する報知部を備えており、算出した通行料金を文字や音声によって報知する。また、高速道路からの出口（退出ゲート）に設置された路側装置１１０２は、算出した通行料金に関する情報を、出口（退出ゲート）を通過する車両１１０１に搭載されたＥＴＣ車載器に送信する。算出した通行料金に関する情報を受信したＥＴＣ車載器は、受信した情報に基づいて通行料金を文字や音声によって報知する。ＥＴＣにおいては、上記のようにして、ＥＴＣ車載器を搭載する車両１１０１が高速道路などの有料道路に進入したことや、当該車両１１０１が高速道路などの有料道路から退出したことを検出し、各車両１１０１の通行距離や通行料金を算出することができる。
【０１６５】
ＥＴＣにおいては、車両１１０１に搭載されたＥＴＣ車載器と、高速道路からの出口（退出ゲート）に設置された路側装置１１０２との間で通信をおこなうことによって、当該ＥＴＣ車載器を搭載する車両１１０１の通行距離に応じた通行料金を精算する。通行料金の精算は、高速道路などの有料道路への入り口（進入ゲート）や出口（退出ゲート）および高速道路中の料金所などを通行する車両に載置されたＥＴＣ車載器に装着（挿入）されるＥＴＣカードの発行元であるクレジットカード会社が、ＥＴＣの運営者への利用者の支払いを肩代わりすることによっておこなわれる。クレジットカード会社が肩代わりした通行料金は、後日、クレジットカード会社から利用者に請求される。
【０１６６】
従来、上記のように高速道路を走行することにより発生した通行料金を、クレジットカード機能を備えるＥＴＣカードを利用して後払いした場合、後払いした金額に応じた数のポイントが発行されるサービス、いわゆる「ＥＴＣマイレージサービス」が存在する。この「ＥＴＣマイレージサービス」においては、所定の手続きを経ることにより、発行されたポイントを次回以降の通行料金に充当し、無料通行分に還元することができる。
【０１６７】
この発明にかかる第１の応用例のポイント処理システムは、この「ＥＴＣマイレージサービス」によって発行されるポイントを、次回以降の通行料金以外に使用することを可能とする。この発明にかかる第１の応用例のポイント処理システムの利用に際しては、利用に先立って、利用者は、上記の実施の形態と同様に、当該利用者自身で、「ＥＴＣマイレージサービス」によって発行されるポイントの利用条件をあらかじめ設定しておく。設定したポイントの利用条件は、たとえば、ＥＴＣカードが備えるＩＣチップなどの記憶媒体に記憶することができる。
【０１６８】
そして、この発明にかかる第１の応用例のポイント処理システムにおいては、高速道路からの出口（退出ゲート）を通過する際に出口（退出ゲート）に設置された路側装置１１０２との間で通信をおこなうごとに、「ＥＴＣマイレージサービス」によって発行される（発行されることが想定される）ポイントを累積して記憶する。ポイントは、たとえば、ＥＴＣカードが備えるＩＣチップなどの記憶媒体に記憶することができる。
【０１６９】
この発明にかかる第１の応用例のポイント処理システムにおいては、ＥＴＣカードが備えるＩＣチップなどの記憶媒体には、実際に利用者は支払いを完了させていないが、後日の請求に応じた支払いが完了した場合に発行されることが想定されるポイントが記憶される。ＥＴＣ車載器は、ＥＴＣカードが備えるＩＣチップなどの記憶媒体にポイントを記憶するごとに、当該記憶媒体に記憶されたポイントの合計を算出し、算出した合計のポイントとあらかじめ設定したポイントの利用条件とを出口（退出ゲート）に設置された路側装置１１０２に送信する。
【０１７０】
この発明にかかる第１の応用例のポイント処理システムにおいて、出口（退出ゲート）や料金所に設置された路側装置１１０２は、ＥＴＣのサーバ装置（図示を省略する）と通信可能に設けられており、定期的あるいは所定のトリガーが生じた際に、当該サーバ装置から、この発明にかかる第１の応用例のポイント処理システムが提供する特典に関する情報を取得する。そして、出口（退出ゲート）に設置された路側装置１１０２は、ＥＴＣ車載器から送信された合計のポイントおよび当該ポイントの利用条件を受信すると、受信したポイントおよび当該ポイントの利用条件に基づいて、サーバ装置から取得した特典の中に、利用者があらかじめ設定したポイントの利用条件に合致する特典があるか否かを判断する。
【０１７１】
出口（退出ゲート）や料金所に設置された路側装置１１０２は、サーバ装置から取得した特典の中に、利用者があらかじめ設定したポイントの利用条件に合致する特典がある場合、該当する特典に関する情報を、ポイントおよび当該ポイントの利用条件の送信元となるＥＴＣ車載器に送信する。ＥＴＣ車載器は、出口（退出ゲート）に設置された路側装置１１０２から、利用者があらかじめ設定したポイントの利用条件に合致する特典に関する情報を受信すると、当該情報に基づいて該当する特典が受けられることを報知する。
【０１７２】
この発明にかかる第１の応用例のポイント処理システムの動作について、たとえば、中央自動車道を上り方向に走行している車両１１０１が、八王子本線料金所を通過して、石川パーキングエリア（図１１における符号１１０３を参照）を経由して、国立府中インターチェンジ以東に移動する場合（図１１における矢印Ａを参照）を例にして説明する。この発明にかかる第１の応用例のポイント処理システムによれば、たとえば、車両１１０１（１１０１ａ）が西から東方向に八王子本線料金所を通過する際に、当該八王子本線料金所で精算をおこなうことによって、当該精算にかかる通行料金に応じた数のポイントが発行される。発行されたポイントは、八王子本線料金所に設置された路側装置１１０２を介して、車両１１０１（１１０１ａ）に搭載されたＥＴＣ車載器に送信される。
【０１７３】
ここでは、たとえば、八王子本線料金所での精算にかかる通行料金に応じて発行されるポイント数で、「石川パーキングエリアで同乗者全員コーヒーが無料」という特典が受けられるものとして説明する。この場合、八王子本線料金所で精算を完了させた後、石川パーキングエリアへ進入する分岐に到達するまでに、「石川パーキングエリアで同乗者全員コーヒーが無料です。」というメッセージを出力することができる。メッセージは、たとえば、八王子本線料金所を通過した車両１１０１（１１０１ｂ）に設置されたＥＴＣ車載器が備えるスピーカーから発する音声によって出力することができる。
【０１７４】
また、この場合、八王子本線料金所で精算を完了させ、当該料金所において通行料金を報知する際に、通行料金の報知とともに、発行されるポイント数あるいは当該ポイント数を加算した累積のポイント数、および、上記の「石川パーキングエリアで同乗者全員コーヒーが無料です。」などの特典が受けられるメッセージなどを報知するようにしてもよい。これにより、精算をおこなったことと、特典が受けられることとの関連性を分かりやすく案内することができる。
【０１７５】
また、この発明にかかる第１の応用例のポイント処理システムは、パーキングエリアやサービスエリアなどのように高速道路上の施設における特典に限らず、高速道路から一般道路に下りてから受けられる特典を提供するものであってもよい。たとえば、八王子本線料金所で精算を完了させた後、調布インターチェンジで一般道に合流するまでに、「調布インターチェンジを下りてすぐのガソリンスタンドでガソリン５リットルの無料サービスが受けられます。」というメッセージを出力することができる。この場合も、メッセージは、たとえば、ＥＴＣ車載器が備えるスピーカーから発する音声によって出力することができる。
【０１７６】
あるいは、この場合、たとえば、ＥＴＣ車載器とカーナビゲーションシステムなどと称され、車両に装備されている電子機器とを接続し、当該電気機器の表示画面に、上記のメッセージを示すテキスト情報を表示することによってメッセージを出力するようにしてもよい。また、あるいは、たとえば、ＥＴＣ車載器とカーナビゲーションシステムなどと称される電子機器とを接続し、当該電機機器のスピーカーを介して、音声を出力することによって、メッセージを出力することができる。
【０１７７】
このように、この発明にかかる第１の応用例のポイント処理システムによれば、利用者は、ＥＴＣの利用に際して、以前のＥＴＣの利用によって発行されたポイントを利用するか貯めるかを告知することなく、当該利用者の指定した利用条件にしたがってポイントを利用することができる。特に、ＥＴＣは、通行料金の収受を無人のシステムによって実現することを目的としているため、このＥＴＣにこの発明にかかるポイント処理システムを適用することにより、利用者と係員との間において料金所やサービスエリアを通過する都度ポイントを利用するかどうかを確認する煩わしさをなくしつつ、利用者や係員の不注意によって利用者がポイントの利用機会を逸することを防止することができる。
【０１７８】
つぎに、第２の応用例として、スーパーマーケットなどの小売店において、ショッピングカートを用いて買い物をおこなうショッピングシステムに適用した場合の例について説明する。この場合、スーパーマーケットなどの小売店において、ショッピングカートに商品を入れるごとに、当該ショッピングカートに入れた商品の合計金額を算出し、算出した合計金額分の商品の精算をおこなった場合に、ポイントを発行することができる。そして、精算するよりも前の任意の時点において、商品の精算にポイントを利用した場合の特典を出力する。
【０１７９】
この場合、特典の出力は、たとえば、ショッピングカートにあらかじめ可搬性のディスプレイを取り付けておき、当該ショッピングカートが精算をおこなうエリアに近づいた場合に、当該ショッピングカートに取り付けられたディスプレイに、商品の精算にポイントを利用した場合の特典を示すテキスト情報を表示することによって特典を出力することができる。
【０１８０】
つぎに、第３の応用例として、居酒屋などの飲食店における注文管理システムに適用した場合の例について説明する。第３の応用例においては、たとえば、４５００円分まで飲食した場合に、「ご注文金額が５０００円以上になりましたら、ポイントのご使用で５００円引きになります。」など、決済にポイントを使うことにより料金の割引特典が受けられることを案内するメッセージや、当該割引特典を受けるための条件を案内するメッセージなどを出力する。
【０１８１】
あるいは、第３の応用例においては、たとえば、現時点において精算金額が８０００円などの所定の金額の場合に、「お会計が１００００円を超えますと、ポイントを利用して１０００円分の割引が受けられます。」などの決済にポイントを使うことにより料金の割引特典が受けられることを案内するメッセージや、当該割引特典を受けるための条件を案内するメッセージなどを出力することができる。
【０１８２】
第１〜第３の応用例は、いずれも、利用者が当該利用者自身であらかじめ設定した条件に合致する状況に近い状況が発生した場合、あるいは、利用者自身であらかじめ設定した条件を既に満たしている場合に、利用者に何ら問合せをすることなく各種のメッセージなどによって特典を報知する。
【０１８３】
このように、第１〜第３の応用例は、いずれも、「〜しますか？」などのように、利用者に当該利用者の意思を事前に確認することなく特典を報知する点を特徴としている。これにより、利用者と店員との間において決済の都度ポイントを利用するかどうかを確認する煩わしさをなくし、かつ、利用者や店員の不注意によって利用者がポイントの利用機会を逸することを防止することができる。
【産業上の利用可能性】
【０１８４】
以上のように、この発明にかかるポイント処理システム、ポイント処理方法およびポイント処理プログラムは、決済に充当可能なポイントを発行するポイントサービスに適用可能なポイント処理システム、ポイント処理方法およびポイント処理プログラムに有用であり、特に、ポイントを容易かつ要望に沿って利用できるよう支援するポイント処理システム、ポイント処理方法およびポイント処理プログラムに適している。
【符号の説明】
【０１８５】
１００  ポイント処理システム
１１０  ポイント処理装置
１２０  店舗の端末装置
１３０  利用者の端末装置
８０１  記憶部
８０２  受付部
８０３  利用条件取得部
８０４  判断部
８０５  確認要求出力部
８０６  応答受付部
８０７  代価決定部
８０８  出力部
８０９  完了通知受付部
８１０  ポイント算出部
８１１  更新部
８１２  残りポイント数判断部
８１３  報知部
８１４  更新受付部
【図１】
2013235399.tif 000003
【図２】
2013235399.tif 000004
【図３】
2013235399.tif 000005
【図４−１】
2013235399.tif 000006
【図４−２】
2013235399.tif 000007
【図５】
2013235399.tif 000008
【図６−１】
2013235399.tif 000009
【図６−２】
2013235399.tif 000010
【図７】
2013235399.tif 000011
【図８】
2013235399.tif 000012
【図９】
2013235399.tif 000013
【図１０】
2013235399.tif 000014
【図１１】
2013235399.tif 000015